(57)【要約】【課題】本願発明は、構造が簡単で、製造が易く且つ伸縮自在な入力ペンを提供すること目的とする。【解決手段】本発明に係る入力ペンは、中空のスリーブと、前記スリーブ内に伸縮可能に装着される筆芯部と、前記スリーブ内に回転可能に固定される旋回手段と、前記旋回手段の前記スリーブの軸方向に沿う移動を制限する規制手段と、を備えてなる。前記スリーブにはガイド溝を有し、前記筆芯部の外周壁には突起柱が設置されており、前記突起柱は前記ガイド溝内にスライド可能に収納される。前記筆芯部の内側表面にはねじ山を螺合するための凹溝が設けられており、前記旋回手段はねじ山が設けられたロッド部を含む。前記凹溝と前記ねじ山との組み合せにより、前記筆芯部を前記ロッド部上に螺着する。【選択図】図１
2011165167.tif 000002
【特許請求の範囲】
【請求項１】
中空のスリーブ及び前記スリーブ内に伸縮可能に装着される筆芯部を備える入力ペンであって、
前記スリーブ内に回転可能に固定される旋回手段及び前記旋回手段の前記スリーブの軸方向に沿う移動を制限する規制手段をさらに備え、
前記スリーブは、ガイド溝を有し、前記筆芯部の外周壁には、突起柱が設置されており、前記突起柱は、前記ガイド溝内にスライド可能に収納され、
前記筆芯部の内側表面には、ねじ山を螺合するための凹溝が設けられており、前記旋回手段は、ねじ山が設けられたロッド部を含み、
前記凹溝と前記ねじ山との組み合せにより、前記筆芯部を前記ロッド部上に螺着することを特徴とする入力ペン。
【請求項２】
前記旋回手段は、前記ロッド部に連結される操作部を含み、前記ロッド部には、脱落防止部が凸設され、
前記スリーブの一端には、止め片が設置され、前記止め片は、前記操作部と前記脱落防止部との間に保持されることによって、前記操作部、前記脱落防止部、及び前記止め片は、前記規制手段を構成することを特徴とする請求項１に記載の入力ペン。
【請求項３】
前記止め片上には、取付凹溝が開設されており、前記ロッド部及び前記脱落防止部は、前記取付凹溝を介して前記止め片を通過して、前記ロッド部が前記取付凹溝内に回転可能に設置されることを特徴とする請求項２に記載の入力ペン。
【請求項４】
前記入力ペンは、開口を有する固定部材をさらに含み、前記止め片は、前記固定部材に設置され、
前記スリーブの内側表面には、第二係止爪が凸設され、前記第二係止爪は、前記開口内に係合されることを特徴とする請求項２に記載の入力ペン。
【請求項５】
前記入力ペンは、ガイド部材をさらに含み、前記ガイド部材は、前記スリーブ内に回転不能に固定され、前記ガイド溝は、前記ガイド部材にその軸方向に沿って開設されることを特徴とする請求項１に記載の入力ペン。
【請求項６】
前記入力ペンは、補助部をさらに含み、前記凹溝は、前記補助部の内側表面に開設されることを特徴とする請求項１に記載の入力ペン。
【発明の詳細な説明】
【技術分野】
【０００１】
本発明は、入力ペン、特に携帯電子装置に用いられる入力ペンに関するものである。
【背景技術】
【０００２】
電子技術の発展に伴って、携帯電話、個人用携帯情報端末（ＰＤＡ）などのような携帯式電子装置は、殆んどタッチパネルを採用する。これらの携帯式電子装置は、一般的に入力ペンを入力手段とする。
【０００３】
従来の入力ペンは、通常携帯電子装置の内部に内蔵され、使用する場合、入力ペンを前記携帯電子装置の蓋体から抜き出す。しかし、携帯電子装置の蓋体の長さが短いため、それに挿入される入力ペンも短く設計しなければならない。従って、入力ペンの長さは制限されて、利用者に不便を与える。以上の問題を解決するために、伸縮できる入力ペンが設計されたが、それらの入力ペンの構造が複雑であり、該入力ペンの製造が難しい。
【発明の概要】
【発明が解決しようとする課題】
【０００４】
以上の問題点に鑑みて、本発明は、構造が簡単で、製造が易しく且つ伸縮自在な入力ペンを提供することを目的とする。
【課題を解決するための手段】
【０００５】
前記課題を解決するために、本発明に係る入力ペンは、中空のスリーブと、前記スリーブ内に伸縮可能に装着される筆芯部と、前記スリーブ内に回転可能に固定される旋回手段と、前記旋回手段の前記スリーブの軸方向に沿う移動を制限する規制手段と、を備えてなる。前記スリーブは、ガイド溝を有し、前記筆芯部の外周壁には、突起柱が設置されており、前記突起柱は、前記ガイド溝内にスライド可能に収納される。前記筆芯部の内側表面には、ねじ山を螺合するための凹溝が設けられており、前記旋回手段は、ねじ山が設けられたロッド部を含む。前記凹溝と前記ねじ山との組み合せにより、前記筆芯部を前記ロッド部上に螺着させる。
【発明の効果】
【０００６】
従来の技術と比べて、本発明に係る入力ペンは、スリーブ、ガイド部材、筆芯部及び旋回手段だけで構成されるので、構造が簡単で、製造が容易である。本発明に係る入力ペンを使用する場合、前記旋回手段の操作部を回転させることだけで、前記筆芯部を前記スリーブに対して伸縮することができるので、本発明の入力ペンは、便利に操作されることができるという利点もある。
【図面の簡単な説明】
【０００７】
【図１】本発明に係る入力ペンの分解図である。
【図２】図１に示したスリーブの斜視断面図である。
【図３】図１に示した入力ペンの組立て図である。
【図４】図３に示した入力ペンの伸長状態を示す図である。
【図５】図３に示した入力ペンのＶ−Ｖ線に沿う断面図である。
【図６】図３に示した入力ペンのＶＩ−ＶＩ線に沿う断面図である。
【図７】図４に示した入力ペンのＶＩＩ−ＶＩＩ線に沿う断面図である。
【発明を実施するための形態】
【０００８】
以下、図面を参照しながら、本発明の実施例に係る入力ペンについて詳細に説明する。
【０００９】
本発明の入力ペンは、携帯電話、個人用携帯情報端末（ＰＤＡ）、ハンドヘルドパソコン等のような携帯電子装置に適用される。
【００１０】
図１に示したように、前記入力ペン１００は、スリーブ１０と、ガイド部材２０と、筆芯部３０と、補助部４０と、固定部材５０と、旋回手段６０と、を備える。前記ガイド部材２０は、前記スリーブ１０内に固設される。前記筆芯部３０は、前記補助部４０に係合され、且つ前記補助部４０と一緒に前記ガイド部材２０内にスライド可能に取り付けられる。前記固定部材５０は、前記ガイド部材２０に連結され、且つ前記スリーブ１０内に固設される。前記旋回手段６０は、前記補助部４０に回転可能に取り付けられる。
【００１１】
図１及び図２を参照すると、前記スリーブ１０は、中空の円筒であり、その一端の内側表面には、２つの第一係止爪１２が相対的に凸設されている。前記第一係止爪１２は、前記ガイド部材２０と係合して、前記ガイド部材２０を前記スリーブ１０内に固設する。前記スリーブ１０の他端の内側表面には、２つの第二係止爪１４が相対的に凸設されている。前記第二係止爪１４は、前記固定部材５０と係合して、前記固定部材５０を前記スリーブ１０内に固設する。前記スリーブ１０の内側表面には、一端から他端まで延伸されている２つの位置決め溝１６が開設されている。前記２つの位置決め溝１６は、相対的に設置され、前記ガイド部材２０がスリーブ１０に対して回転することを防止する。
【００１２】
前記ガイド部材２０は、中空の円筒であり、収容空洞部２４を取り囲んで形成する筒壁２２を含む。前記筒壁２２の外周面には、その軸上方向に沿って前記筒壁２２を貫通する２つのガイド溝２２２が開設されている。前記２つのガイド溝２２２は、相対的に設置され、前記補助部４０のスライドを案内する。前記筒壁２２の両端には、それぞれ２つの係合用ノッチ２２４及び２つのＵ字状スロット２２６が開設されている。前記係合用ノッチ２２４は、前記筒壁２２の端縁から凹むように前記収容空洞部２４の両側に対称に設置され、前記固定部材５０と互いに係合する。各Ｕ字状スロット２２６は、前記筒壁２２を貫通して開設されるため、その内部エリアに係止片２２８を形成する。前記２つの係止片２２８は対称に設置され、各係止片２２８は、開口２２８２を有する。前記開口２２８２は、前記スリーブ１０の第一係止爪１２と係合する。前記筒壁２２の外周面における前記ガイド部材２０の両端には、それぞれ位置決めするための条状突起２２９が設置されている。前記条状突起２２９は、前記スリーブ１０の位置決め溝１６内に係止されて、前記ガイド部材２０がスリーブ１０に対して回転することを防止する。前記ガイド部材２０は、ポリフォルムアルデヒド（ＰＯＭ）のような摩擦に耐える弾性材料で製作される。
【００１３】
図１及び図５を参照すると、前記筆芯部３０は、筒状部３２及び前記筒状部３２に連結する筆先部３４を含む。前記筒状部３２は、中空の筒状体であり、筒壁３２４を含む。前記筒壁３２４は、前記旋回手段６０を部分的に収納するための収容空洞部３２２を取り囲むように形成される。前記筒壁３２４には、前記筒壁３２４の端縁を貫通するロック穴３２４２が開設されている。前記ロック穴３２４２は、前記補助部４０と互いに係止する。
【００１４】
前記補助部４０は、固定部４２及び前記固定部４２に連結するスライド部４４を含む。前記固定部４２の外周壁には、円柱体である２つの係止柱４２２を有する。前記２つの係止柱４２２は、同軸を有し（即ち、対称設置されている）、前記筆芯部３０のロック穴３２４２内に係合される。前記固定部４２の中部には、収容空洞部４２４が設けられる。前記スライド部４４の相対する２つの外表壁（図１での上下外表壁）には、それぞれスライド用突起柱４４２が凸設されている。前記突起柱４４２は、前記ガイド部材２０のガイド溝２２２内にスライド可能に収納される。前記収容空洞部４２４の内側表面には、その軸方向に沿ってねじ山を螺合するための凹溝４４４が設置されている。
【００１５】
前記固定部材５０は、筒体５２、前記筒体５２の一端から延在して形成されている２つのフック５４、及び前記筒体５２の他端に設置されている２つの止め片５６（図５を参照）を含む。前記筒体５２には、それを貫通するＵ字状スロット５２２が開設されている。前記Ｕ字状スロット５２２は、係止片５２４を囲むように形成される。各係止片５２４には、開口５２４２が設けられ、前記開口５２４２は、前記スリーブ１０の第二係止爪１４と係合する。また、前記筒体５２の相対する２つの外周壁には、前記スリーブ１０の位置決め溝１６内に収納される条状突起５８がそれぞれ凸設されている。前記フック５４は、前記ガイド部材２０の係合用ノッチ２２４内に係合される。前記止め片５６は、細長い取付凹溝５６２（図５を参照）を有し、前記旋回手段６０は、前記取付凹溝５６２により前記固定部材５０を部分的に貫通する。
【００１６】
前記旋回手段６０は、外周面にねじ山６２２付きのロッド部６２、及び前記ロッド部６２の端部に連結する操作部６４を含む。前記ロッド部６２のねじ山６２２は、前記補助部４０のねじ山を螺合するための凹溝４４４と組み合せて、前記ロッド部６２を前記補助部４０のスライド部４４に螺着させる。前記ロッド部６２の前記操作部６４に隣接する一端には、脱落防止部６２４が凸設されている。前記脱落防止部６２４は、前記操作部６４と一定の間隔をあけて設置され、且つ前記固定部材５０の止め片５６と互いに当接して前記ロッド部６２が前記スリーブ１０から離脱することを防止する。前記操作部６４によって、前記ロッド部６２の回転をコントロールされる。
【００１７】
以下、図３乃至図６を参照しながら、本発明の入力ペン１００の組立て手順について詳細に説明する。
【００１８】
まず、前記ガイド部材２０を前記スリーブ１０内に装着する。詳しく述べると、前記ガイド部材２０の係合用ノッチ２２４が形成されている一端を前記スリーブ１０へ指向させると共に、前記ガイド部材２０の条状突起２２９と前記スリーブ１０の位置決め溝１６との位置を合せてから、前記位置決め溝１６に沿って前記スリーブ１０の第一係止爪１２が前記ガイド部材２０の係止片２２８の開口２２８２内に係止するまで、前記ガイド部材２０を前記スリーブ１０内に押し込む。
【００１９】
次に、前記補助部４０の固定部４２を前記筆芯部３０の収容空洞部３２２内に押し込むと共に、前記固定部４２上の係止柱４２２を前記筆芯部３０のロック穴３２４２内に係止する。このように、前記筆芯部３０を前記補助部４０上に固定する。その後、前記一体に組み立てられた筆芯部３０及び補助部４０を前記ガイド部材２０内に挿入すると共に、前記固定部４２の突起柱４４２を前記ガイド部材２０のガイド溝２２２内にスライド可能に設置する。
【００２０】
次に、前記固定部材５０を前記スリーブ１０内に収納すると共に、前記固定部材５０のフック５４と前記ガイド部材２０の係合用ノッチ２２４と互いに係合して、前記ガイド部材２０と固定部材５０とを一体に連結する。同時に、前記固定部材５０の係止片５２４の開口５２４２を前記スリーブ１０の第二係止爪１４に係合し、前記固定部材５０の条状突起５８を前記スリーブ１０の位置決め溝１６内に収納する。従って、前記固定部材５０は、前記スリーブ１０内に安定的に装着されて、前記スリーブ１０に対して回転不能である。
【００２１】
最後に、前記旋回手段６０のロッド部６２を、前記補助部４０に当止するまで前記固定部材５０の取付凹溝５６２から前記スリーブ１０内に挿入する。続いて、前記旋回手段６０の操作部６４を回転させて、前記ロッド部６２を前記補助部４０のスライド部４４内に螺着する。次に、前記旋回手段６０を前記スリーブ１０から離れるように一定の距離引っ張ってから、前記旋回手段６０を回転させて、前記脱落防止部６２４と前記取付凹溝５６２との位置を合せる。その後、前記スリーブ１０に向けて前記旋回手段６０を推進させて、前記脱落防止部６２４を前記取付凹溝５６２内に圧入してから、前記脱落防止部６２４を前記取付凹溝５６２を介して前記止め片５６を通過する。これにより、前記入力ペン１００の組立てが完成される。
【００２２】
図４及び図７を参照すると、前記入力ペン１００を使用する場合、前記旋回手段６０の操作部６４を回転すると、前記ロッド部６２は連動して回転される。前記固定部材５０の止め片５６が前記旋回手段６０の操作部６４と脱落防止部６２４との間に保持されるため、前記旋回手段６０の軸方向における移動が制限される。従って、前記ロッド部６２の回転につれて、前記補助部４０は、前記ガイド部材２０のガイド溝２２２に沿ってスライドする。このように、前記操作部６４の回転方向を変えることにより、前記筆芯部３０を前記スリーブ１０から伸張させるか、或いは前記スリーブ１０内に収縮させることができる。
【００２３】
また、前記ガイド部材２０は、前記補助部４０と組み合せて、前記筆芯部３０を前記スリーブ１０に対して伸縮させる。前記スリーブ１０に直接ガイド溝を開設すると共に、前記ガイド溝に対応して前記筆芯部３０の外周壁に突起柱を設置すれば、前記の目的を達成することもできる。即ち、前記ガイド部材２０及び前記補助部４０を省略してもよい。この場合、前記筆芯部３０の筒壁３２４の内側表面に前記ロッド部６２のねじ山と組み合せるねじ山を螺合するための凹溝を開設して、前記筆芯部３０とロッド部６２とを直接的に螺着させる。
【００２４】
また、容易に製造するために、前記筆芯部３０及び補助部４０を別々に設計されたが、両者を一体に設計しても本発明の技術効果が得られる。
【００２５】
また、前記固定部材５０の止め片５６は、前記旋回手段６０の脱落防止部６２４、前記操作部６４と共同で、前記旋回手段６０の軸方向に沿う移動を規制する規制手段を構成する。しかし、前記固定部材５０を省略して、前記止め片５６を前記スリーブ１０の内壁に設置する場合にも、前記の目的を達成することもできる。
【００２６】
また、前記第一係止爪１２は、前記係止片２２８と互いに係合して、前記ガイド部材２０を前記スリーブ１０内に固着し、前記第二係止爪１４は、前記係止片５２４と互いに係合して、前記固定部材５０を前記スリーブ１０内に固着する。しかし、前記第一係止爪１２、前記係止片２２８、前記第二係止爪１４、及び前記係止片５２４の数は、全て２つに限定されることなく、１つだけ設置されてもよい。
【００２７】
本発明の入力ペン１００によれば、前記旋回手段６０の操作部６４を回転させるだけで、前記筆芯部３０を前記スリーブ１０に対して伸縮させることができる。従って、本発明の入力ペン１００を便利に操作できる。これ以外に、前記旋回手段６０と補助部４０とは、ねじ山の組み合せで一体に組み立てられるため、前記旋回手段６０を前記補助部４０に対して任意の角度を回転しても、前記筆芯部３０の一端は前記スリーブ１０内に堅牢に固定されて、緩むことがない。
【００２８】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２９】
１０        スリーブ
１２        第一係止爪
１４        第二係止爪
１６        位置決め溝
２０        ガイド部材
２２        筒壁
２４        収容空洞部
３０        筆芯部
３２        筒状部
３４        筆先部
４０        補助部
４２        固定部
４４        スライド部
５０        固定部材
５２        筒体
５４        フック
５６        止め片
５８        条状突起
６０        旋回手段
６２        ロッド部
６４        操作部
１００      入力ペン
２２２      ガイド溝
２２４      係合用ノッチ
２２６      Ｕ字状スロット
２２８      係止片
２２９      条状突起
３２２      収容空洞部
３２４      筒壁
４２２      係止柱
４２４      収容空洞部
４４２      突起柱
４４４      ねじ山を螺合するための凹溝
５２２      Ｕ字状スロット
５２４      係止片
５６２      取付凹溝
６２２      ねじ山
６２４      脱落防止部
２２８２    開口
３２４２    ロック穴
５２４２    開口
【図１】
2011165167.tif 000003
【図２】
2011165167.tif 000004
【図３】
2011165167.tif 000005
【図４】
2011165167.tif 000006
【図５】
2011165167.tif 000007
【図６】
2011165167.tif 000008
【図７】
2011165167.tif 000009